(57)【特許請求の範囲】
【請求項１】
給紙ローラ及び分離ローラが装置片側に片寄った位置に設けてあり、原稿台上に積載された原稿を上から一枚づつ給紙する形式の自動給紙装置において、最上位原稿の通過に応じて原稿走行面から出入りする原稿ストッパを待機原稿の先端位置に設け、最上位原稿の搬送中に次原稿が斜傾するのを防止するようにしたことを特徴とする自動給紙装置。
【請求項２】
前記原稿ストッパは、待機原稿に係合可能な先端を備えた第１アームと、搬送中の最上位原稿に接触する第２アームとを備え、最上位原稿の通過に応じて揺動する支点回転式のストッパであることを特徴とする請求項１に基づく自動給紙装置。
【請求項３】
前記第１アームの先端には高い摩擦力を有する部材を設けたことを特徴とする請求項２に基づく自動給紙装置。
【発明の詳細な説明】
【０００１】
【発明の属する技術分野】
本発明は、ファクシミリ装置や複写機の原稿読取部等に原稿等を自動供給するための自動給紙装置に係り、より詳しくは、給紙ローラ及び分離ローラを装置片側に片寄った位置に設けた形式の自動給紙装置に関する。
【０００２】
【従来の技術】
ファクシミリ装置や複写機においては、原稿台上に積載された原稿を上から一枚づつ取り出して原稿読取部に送るようになった自動給紙装置が使用されている。
従来の自動給紙装置には、小さなサイズの原稿にも対応できるようにするため、図７に示したように、装置の片側に片寄った位置に給紙ローラ１及び分離ローラ２を設け、装置の片側に突き当てた原稿を送り出すようになったものが知られている（例えば、特開平１１−７９４３５号）。
【０００３】
このように、給紙ロ−ラ及び分離ロ−ラが装置片側に片寄った位置にある形式の自動給紙装置においては、給紙ロ−ラ及び分離ロ−ラが装置の幅方向の中心にないことから、搬送中の原稿との摩擦や分離ロ−ラが次原稿を押し戻す際の影響により、次原稿を含め待機している原稿が徐々に傾いてしまうという問題がある。
【０００４】
そこで、従来技術においては、図７に示したように、給紙ローラ１及び分離ローラ２とは幅方向反対側の位置においてそれらの同軸上若しくはその近傍に対をなす斜行防止用ロ−ラ３および４を配置し、これによって、最上位原稿の搬送中に次原稿を含む待機原稿が傾くのを抑制し、原稿の斜行を防止している。
また、原稿をセットする原稿台上には幅決め５を設け、原稿の主走査方向の動きを規制することにより斜行を防止するようになっている。
【０００５】
【発明が解決しようとする課題】
しかし、この従来の原稿斜行防止機構には、斜行防止用ロ−ラ３および４を設けることにより、部品点数および部品コストが増加し、構造が複雑化し、かつ重量が増加するという問題がある。
【０００６】
そこで、本発明の目的は、部品点数および部品コストが少なく小型・軽量の原稿斜行防止機構を備えた自動給紙装置を提供することにある。
本発明の他の目的は、構造簡素で生産性に優れた原稿斜行防止機構を備えた自動給紙装置を提供することにある。
【０００７】
【課題を解決するための手段】
本発明は、給紙ローラ及び分離ローラが装置片側に片寄った位置に設けてあり、原稿台上に積載された原稿を上から一枚づつ給紙する形式の自動給紙装置において、最上位原稿の通過に応じて原稿走行面から出入りする原稿ストッパを待機原稿の先端（進み側エッジ）の位置に設け、最上位原稿の搬送中に次原稿が斜傾するのを防止するようにしたことを特徴とするものである。
【０００８】
この原稿ストッパは、最上位原稿の先端の繰り込みが開始すると原稿走行面の上に現れ、次原稿を含む待機原稿が前進するのを阻止する。
この原稿ストッパは次原稿の繰り込み開始に際しては、原稿走行面の下に潜り、次原稿の先端の繰り込みの妨げにならないようになっている。
【０００９】
好ましい実施態様においては、原稿ストッパは、待機原稿に係合可能な先端を備えた第１アームと、搬送中の最上位原稿に接触する第２アームとを備え、最上位原稿の通過に応じて揺動する支点回転式（ベルクランク形）のストッパからなる。好ましくは、この第１アームの先端には高い摩擦力を有する部材又は被覆を設ける。
【００１０】
【発明の実施の形態】
図１から図４を参照するに、自動給紙装置１０は原稿セット台１２を備え、この原稿セット台の片側には駆動部１４が配置されている。この駆動部１４は、給紙ローラ１６を支持した給紙シャフト１８および原稿分離ローラ２０を支持した分離ローラシャフト２２を任意方向に駆動するようになっている。
【００１１】
給紙シャフト１８には、同シャフト１８が原稿送出方向に回転した時に降下しシャフト１８が逆転した時に跳ね上げられる一対の揺動アーム２４が取付けてあり、この揺動アーム２４の先端には原稿繰込みローラ２６が回転可能に支持してある。
この繰込みローラ２６はギヤ列のような公知の伝動機構（図示せず）を介して給紙ローラ１６に連結してあり、揺動アーム２４が下がったときに給紙シャフト１８からの駆動力が繰込みローラ２６に伝達されて原稿を繰込むようになっている。
【００１２】
自動給紙装置１０は、更に、原稿を反転搬送する搬送ローラ２８と、搬送ローラ２８に原稿を接触させる押さえベルト３０と、原稿を排出する排出ローラ３２およびピンチローラ３４を有する。
図１および図４からよく分かるように、給紙ローラ１６、繰込みローラ２６、および分離ローラ２０は装置片側（原稿の主走査方向片側）に片寄って配置してある。
給紙ローラ１６とは反対側において原稿セット台１２には幅決め部材３６が配置してある。
【００１３】
本発明に従い、この自動給紙装置１０には、装置幅方向に関し給紙ローラ１６とは反対側において、原稿セット台１２上に積載された原稿３８中の待機原稿４０の先端（進み側エッジ）に整列する位置のところに、原稿ストッパ４２が設けてある。
この原稿ストッパ４２は、第１アーム４４と第２アーム４６とを備えピボット４８を中心として揺動する支点回転式のベルクランクからなり、第１アーム４４の先端には高い摩擦力を有する部材５０が設けてある（図３）。
【００１４】
原稿案内板５２には例えば矩形の切欠き５４が設けてあり、原稿ストッパ４２の揺動に伴いその第１アーム４４と第２アーム４６が切欠き５４を介して原稿案内板５２の上面（原稿走行面５６）の上下に出入りするようになっている。原稿ストッパ４２は通常はその第２アーム４６が原稿走行面５６から突出するべくバネ５８（図５）によって付勢されている。
【００１５】
次に、この自動給紙装置１０の作動を説明する。この自動給紙装置１０は図示しないファクシミリ装置又は複写機などに取付けて使用される。
駆動部１４からの駆動力を給紙シャフト１８に伝達させ、給紙シャフト１８を図において時計回りに回転させる。
給紙シャフト１８の回転駆動力により給紙ローラ１６は時計回りに回転し、図５に示したように揺動アーム２４を下方に降下させると共に、伝動機構（図示せず）を介して繰込みローラ２６を回転させる。これにより、積載した原稿３８中の最上位原稿６０は繰込みロ−ラ２６によって給紙ロ−ラ１６及び分離ロ−ラ２０まで搬送される。
【００１６】
この時、繰込みロ−ラ２６により複数枚の原稿が同時に繰り込まれた場合には、次原稿４０を含む待機原稿は分離ロ−ラ２０によって押し戻され、最上位原稿６０のみが給紙ロ−ラ１６によって給紙される。
給紙ローラ１６を通過した最上位原稿６０は、搬送ローラ２８と押さえベルト３０によって反転され、排出ローラ３２とピンチローラ３４によってファクシミリ装置又は複写機に送られる。
【００１７】
その際、最上位原稿６０が給紙ローラ１６を通過すると、最上位原稿６０は原稿ストッパ４２の第２アーム４６に係合し、これを押し下げることにより原稿ストッパ４２を図において反時計回りに揺動させ、その第１アーム４４の先端を原稿走行面５６から上方に出現させる（図５）。
【００１８】
最上位原稿６０の搬送中には、次原稿４０を含む待機原稿の先端は紙間摩擦によって分離ロ−ラ２０の側へ引っ張られる。この時、給紙ロ−ラ１６および分離ロ−ラ２０がある側の待機原稿の先端は、分離ロ−ラ２０に当たって止まる（図５）。
給紙ロ−ラ１６および分離ロ−ラ２０が無い側（図において手前側）においては、待機原稿は引っ張られ続け、原稿搬送方向に対し斜めに傾いて行こうとするが、原稿ストッパ４２の摩擦部材５０によって前進が阻止される。
【００１９】
最上位原稿６０の後端が原稿ストッパ４２の第２ア−ム４６を通過すると、バネ５８の作用による原稿ストッパ４２の揺動により第２ア−ム４６が上昇して原稿走行面５６から現われ、その反対に第１アーム４４の先端は再び原稿走行面５６の下に潜る（図６）。よって、原稿ストッパ４２が今や最上位となった次原稿４０の繰り込みの妨げになることがない。
【００２０】
【発明の効果】
本発明によれば、給紙ローラ及び分離ローラを装置片側に片寄った位置に設けた形式の自動給紙装置において、単一の部品である原稿ストッパを設けるだけという比較的簡単な解決手段により原稿の斜行を防止したので、従来の方式に較べて部品点数を大幅に削減し、装置の部品コストを低減し、装置を小型・軽量化することができる。
また、構造が簡素になるので生産性が向上する。
【図面の簡単な説明】
【図１】本発明の自動給紙装置の要部の平面図である。
【図２】図１のＩＩ−ＩＩ線に沿った模式的断面図である。
【図３】図１に示した原稿ストッパの一部切欠き拡大図である。
【図４】図１に示した自動給紙装置の斜視図である。
【図５】図１のＶ−Ｖ線に沿った模式的断面図で、原稿ストッパが作動位置にあるところを示す。
【図６】図５と同様の模式的断面図で、原稿ストッパが非作動位置にあるところを示す。
【図７】従来の自動給紙装置の斜視図である。
【符号の説明】
１０：  自動給紙装置
１２：  原稿台
１６：  給紙ローラ
２０：  分離ローラ
３８：  積載原稿
４０：  次順位待機原稿
４２：  原稿ストッパ
４４：  ストッパの第１アーム
４６：  ストッパの第２アーム
５０：  摩擦部材
５６：  原稿走行面
６０：  最上位原稿
【図１】
0003616531.tif 000002
【図２】
0003616531.tif 000003
【図３】
0003616531.tif 000004
【図４】
0003616531.tif 000005
【図５】
0003616531.tif 000006
【図６】
0003616531.tif 000007
【図７】
0003616531.tif 000008